(57)【要約】【課題】光源部が直接見えないようにしながら、外部に放出された微細ミストに光源部からの光を照射すること。【解決手段】微細ミストを生成する微細ミスト生成部６０と、生成された微細ミストを外部に放出する微細ミスト放出口３７と、放出された微細ミストに光を照射する光源部５４とを備える発光機能付き微細ミスト発生装置４である。上記光源部５４は、上記微細ミスト放出口３７の内側であって、且つ微細ミストの放出角度以外の角度から人の視界に直接入らない位置に配置される。【選択図】図１
2010081956.tif 000002
【特許請求の範囲】
【請求項１】
微細ミストを生成する微細ミスト生成部と、生成された微細ミストを外部に放出する微細ミスト放出口と、放出された微細ミストに光を照射する光源部とを備える発光機能付き微細ミスト発生装置であって、上記光源部は、上記微細ミスト放出口の内側であって、且つ微細ミストの放出角度以外の角度から人の視界に直接入らない位置に配置されていることを特徴とする発光機能付き微細ミスト発生装置。
【請求項２】
上記光源部は、ミスト温度の低い冷ミスト雰囲気に晒されるレンズ部にて覆われていることを特徴とする請求項１記載の発光機能付き微細ミスト発生装置。
【請求項３】
上記微細ミスト生成部は、モータにより回転して水を下から上に吸い上げる正面視逆円錐形状の水上昇部と該水上昇部の上端から径方向外方に突設された平面視円盤形状の水飛散部とを有する回転体と、上記回転体の径方向外方に水飛散部と間隔を隔てて対向配置される円筒形の衝突板と、注水口の吐水側に臨む空間に開放されて該注水口の吐水側から流下する所定流量の水を受けて上記回転体の水上昇部の下端側へ導く水受け部とを備えており、上記水飛散部から飛散した水が上記衝突板に衝突することで発生する微細ミストを、衝突板と水受け部との間に設けた微細ミスト放出口を介して外部に放出する構成であり、上記光源部を、上記回転体の上方位置における水飛散部の平面視投影領域内で且つ上記衝突板の上下方向領域内に配置したことを特徴とする請求項１又は２記載の発光機能付き微細ミスト発生装置。
【請求項４】
上記光源部は、複数のＬＥＤと、各ＬＥＤごとに輝度或いは発光させる色を適宜時間経過と共に変化させる制御手段とを備えていることを特徴とする請求項１乃至３のいずれかに記載の発光機能付き微細ミスト発生装置。
【発明の詳細な説明】
【技術分野】
【０００１】
本発明は、発光機能付き微細ミスト発生装置に関し、詳しくは放出された微細ミストに光を照射する技術に関するものである。
【背景技術】
【０００２】
従来から、湯水を噴霧する複数のノズルを有するミスト発生部に、発光手段の光が集光レンズを通して噴霧湯に向かい照射させるようにしたミスト発生装置が知られている（例えば、特許文献１参照）。
【０００３】
ところが上記特許文献１にみられる従来例では、発光手段の光が使用者から直接みえる位置で照射させる構造であるため、ムード効果やリラックス効果が損なわれるおそれがある。
【特許文献１】特開２００３−２９７１１８号公報
【発明の開示】
【発明が解決しようとする課題】
【０００４】
本発明は上記の従来の問題点に鑑みて発明したものであって、その課題とするところは、光源部が直接見えないようにしながら、外部に放出された微細ミストに光源部からの光を照射できる発光機能付き微細ミスト発生装置を提供することにある。
【課題を解決するための手段】
【０００５】
前記の課題を解決するために、本発明は、微細ミストを生成する微細ミスト生成部６０と、生成された微細ミストを外部に放出する微細ミスト放出口３７と、放出された微細ミストに光を照射する光源部５４とを備える発光機能付き微細ミスト発生装置４である。上記光源部５４は、上記微細ミスト放出口３７の内側であって、且つ微細ミストの放出角度以外の角度から人の視界に直接入らない位置に配置されていることを特徴としている。
【０００６】
このような構成とすることで、光源部５４による眩しさを感じさせないようにしながら、微細ミスト照明が可能となり、これにより、一層深い視覚的表現を演出し、精神的な緊張を和らげ、リラックス効果を与えることができる。
【０００７】
また、上記光源部５４は、ミスト温度の低い冷ミスト雰囲気に晒されるレンズ部５９にて覆われているのが好ましく、この場合、レンズ部５９表面の水膜によって光源部５４の温度を降下させることができ、光源部５４に流せる電流値のアップ及び寿命の向上を図ることができる。
【０００８】
また、上記微細ミスト生成部６０は、モータ６により回転して水を下から上に吸い上げる正面視逆円錐形状の水上昇部５０と該水上昇部５０の上端から径方向外方に突設された平面視円盤形状の水飛散部５１とを有する回転体３４と、上記回転体３４の径方向外方に水飛散部５１と間隔を隔てて対向配置される円筒形の衝突板３５と、注水口４５の吐水側４５ａに臨む空間に開放されて該注水口４５の吐水側４５ａから流下する所定流量の水を受けて上記回転体３４の水上昇部５０の下端５０ａ側へ導く水受け部３８とを備えており、上記水飛散部５１から飛散した水が上記衝突板３５に衝突することで発生する微細ミストを、衝突板３５と水受け部３８との間に設けた微細ミスト放出口３７を介して外部に放出する構成であり、上記光源部５４を、上記回転体３４の上方位置における水飛散部５１の平面視投影領域Ｙ内で且つ上記衝突板３５の上下方向領域Ｘ内に配置するのが好ましく、この場合、回転体３４及び衝突板３５を利用して光源部５４が微細ミスト越しにしか直接見ることができない効果が得られる。
【０００９】
また、上記光源部５４は、複数のＬＥＤ５５と、各ＬＥＤ５５ごとに輝度或いは発光させる色を適宜時間経過と共に変化させる制御手段とを備えているのが好ましく、この場合、好みの輝度、色を選択できるので、色の変化、浴室内との調和、演出性を上げることができる結果、視覚的な変化を与え、同様の状態が継続することにより退屈感が生じることを防止できる。
【発明の効果】
【００１０】
本発明は、光源部が人の視界に直接入ることがなく、しかも外部に放出された微細ミストに該光源部からの光を確実に照射できる発光機能付き微細ミスト発生装置を提供できるものである。
【発明を実施するための最良の形態】
【００１１】
以下、本発明を添付図面に示す実施形態に基いて説明する。
【００１２】
ミストサウナ機能付き浴室暖房乾燥機１は、図１１に示すように、浴室１３の天井部に設置され、浴室１３内に温風を供給する暖房機本体（浴室用空調機本体）２と、浴室１３内にミスト噴霧を行なうスプラッシュミスト噴霧装置３と、微細ミスト発生装置４とで構成されている。なお図１１中の１４は熱源機、１５は浴室１３外に設置されるリモコン操作部であり、スプラッシュミスト運転スイッチ、微細ミスト運転スイッチ、暖房運転スイッチ、換気運転スイッチ、乾燥運転スイッチ、涼風運転スイッチ等が設けられている。
【００１３】
前記暖房機本体２は、図９、図１０、図１２に示すように、循環ファン５と、循環ファン５により通風される空気を熱源機１４から供給される温水により加熱する暖房用熱交換器７と、暖房用熱交換器７への温水の供給量を調節する熱動弁８とが機器ケーシング２５内に収納されている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３０から浴室１３内に供給されるようになっている。さらに暖房用温水管路１６の途中には、後述のミスト用熱交換器１１を加熱するためのミスト加熱用温水管路１９がバイパス接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。図９中の９は浴室温度センサー、１７は温水往き温度センサー、２６は換気ファンであり、図１０中の２７は吸い込み口、３３は吸気フィルターである。
【００１４】
前記暖房機本体２の機器ケーシング２５内部には、ミスト用給水配管２０が収納配管されている。ミスト用給水配管２０の途中には後述のミスト用熱交換器１１が配置されている。ミスト用熱交換器１１よりも上流側は、給水電磁弁２２及びストレーナ２３を介して、外部の水道管に接続されている。ミスト用給水配管２０の下流は、第１及び第２ノズル開閉弁２９ａ，２９ｂを介して、ミストサウナ用の水を噴霧するミストノズル１０に接続されている。このようにミスト用給水配管２０と、ミスト用熱交換器１１及び給水電磁弁２２と、ノズル開閉弁２９ａ，２９ｂ及びミストノズル１０とで、スプラッシュミスト噴霧装置３が構成されている。
【００１５】
また、上記ミスト用給水配管２０はミスト用熱交換器１１よりも下流位置で分岐排水路３１が分岐され、排水電磁弁２４を介して外部排水管に接続されており、例えば、ミスト運転開始時にミスト用熱交換器１１内やミスト用給水配管２０内に溜まっている残水を外部に排水可能とされる。
【００１６】
また、前記暖房用温水管路１６から分岐されたミスト加熱用温水管路１９の一部が配管されていると共に、ミスト加熱用温水管路１９からミスト用熱交換器１１に供給される水温が適切になったときに温水の出湯量の調節を行う水比例弁１２と、ミスト用熱交換器１１からの循環温水の戻り温度を検知するための温水戻り温度センサー２１とが設置されている。さらにミスト用熱交換器１１から吐水する水の温度を検知するためのミスト温度センサー１８が設置されている。
【００１７】
上記機器ケーシング２５の下面側に設置されるミストノズル１０は、機器ケーシング２５のグリル板２５ａに設けた開口部２５ｃに嵌め込まれる前パネル２５ｂのノズル用開口孔４０から浴室１３内に臨んで配置されている。本例ではミストノズル１０は３個設けられ、例えば、ノズル開閉弁２９ａ側の１個のミストノズル１０ａは、マイルドなミストサウナ（ミスト噴霧量が例えば０．５リットル／ｍｉｎ）を得るためのものであり、ノズル開閉弁２９ｂ側の２個のミストノズル１０ｂ，１０ｃはハードなミストサウナ（ミスト噴霧量が例えば１．０リットル／ｍｉｎ）を得るためのものである。
【００１８】
浴室１３内は制御部（図示せず）により所定温度に制御される。制御部は、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２、スプラッシュミスト噴霧装置３、及び後述する微細ミスト発生装置４の各構成部品を駆動制御するマイクロコンピュータにより構成される。
【００１９】
次に、本実施形態の微細ミスト発生装置４を説明する。  微細ミスト発生装置４は、図１０に示すように、機器ケーシング２５のグリル板２５ａの温風吹き出し口３０を挟んで吸気口２７とは反対側の位置に設けた開口部３２に取り付けられている。
【００２０】
微細ミスト発生装置４は、図２に示すように、モータ６により回転駆動する回転体３４と、回転体３４を囲むように配置される衝突板３５、微細ミスト放出口３７、水受け部３８等を一体に備えた化粧カバー３９とで主体が構成される。
【００２１】
化粧カバー３９は、例えば射出成形によりＡＢＳ樹脂を用いて一体形成されており、その上面をモータ取付板４１で覆った状態で、グリル板２５ａに設けた開口部３２に嵌めこまれて固定されている。
【００２２】
本例の化粧カバー３９は、図２に示すように、上方に開口したお椀形状をしており、上端部から下端部にわたって、円筒形状の衝突板３５と、衝突板３５の下端全周に連なるスリット形状の微細ミスト放出口３７と、微細ミスト放出口３７の下端全周に連なる皿形状の水受け部３８と、水受け部３８の下端に連なるドレン回収部４２とがこの順に連続形成されている。なお、ドレン回収部４２（図３参照）は図２では図示されていない。
【００２３】
上記衝突板３５の外周面は円筒面とされるが、衝突板３５の内周面には、後述する微細ミスト放出口３７から上方向に延伸した複数のリブ４３の上端部４３ａがそれぞれ達しており、これにより衝突板３５の内周面には径方向内方に所定高さを持つ複数のリブ４３の上端部４３ａが、周方向Ａ（図６）に間隔を隔てて存在した構造となっている。ここで、回転体３４の水飛散部５１からの水の飛散方向（水飛散部５１の外周円に接する方向）と、リブ４３の上端部４３ａの突出方向（径方向内方）とが略直交することで水滴の衝撃が大きくなるから水の微細化がより促進され、リブ４３がない場合と比べて、同じ粒子径にまで微細化するときの回転体３４の回転速度が小さく抑えることができ、これにより、回転体３４の回転に伴う騒音の発生が低減できると共に、モータ６の軸受の磨耗防止にも有効となる。
【００２４】
上記微細ミスト放出口３７には、図６に示すように、上下方向に延びるリブ４３が周方向Ａに間隔を隔てて複数本、配列されていると共に、リブ４３,４３相互間が、上記衝突板３５にて発生させた微細ミストを外部に放出するためのスリット空間となっている。ここでは、微細ミスト発生装置４の全周に微細ミスト放出口３７を設けたことにより、発生した微細ミストの浴室内における分布がきわめて良くなる利点がある。
【００２５】
また、後述する注水口４５の真下に位置する隣接する２本のリブ４３,４３の間には、スリット空間（微細ミスト放出口３７）は形成されず、代わりに、幅広の微細ミスト用水通路４４を構成する樹脂壁が形成されている。微細ミスト用水通路４４の上端は衝突板３５の内面上端まで達している。
【００２６】
上記幅広の微細ミスト用水通路４４の真上には、図２に示すように、注水口４５が配置される。本例では、モータ取付板４１を細長い筒形状の注水口４５が貫通しており、注水口４５の吐水側４５ａがモータ取付板４１の下面に突出していて、微細ミスト放出口３７の開口下端よりも所定寸法Ｂ（例えば、３０ｍｍ）以上高い位置にて、下向きに開放されている。注水口４５の注入側４５ｂはモータ取付板４１の上面に突出しており、図９に示すように、ミスト用給水配管２０の給水電磁弁２２とミスト用熱交換器１１との間から分岐した分岐給水管２０ａに接続されている。分岐給水管２０ａの途中には流量を約５０［ｍｌ／分］に制限するガバナ４６と微細ミスト用電磁弁４７とが設けられている。これにより、ミスト用給水配管２０からの水が、微細ミスト用電磁弁４７とガバナ４６とを経由して注水口４５に供給され、注水口４５の吐水側４５ａから前記微細ミスト用水通路４４上に滴下（或いは流下）するようになっている。ここでは、注水口４５の吐水側４５ａは微細ミスト放出口３７の開口下端より所定寸法Ｂ（例えば３０ｍｍ）以上高い位置に開放され、しかも注水口４５の吐水側４５ａから流下する水の流量は５０ｍｌ／分と少ないから、水の供給が容易で、且つ断水時などにも水の注水口４５からの逆流がないから、いわゆる上水道のクロスコネクション対策が容易となる。
【００２７】
上記微細ミスト用水通路４４の下端は、図２、図６に示すように、水受け部３８に連通している。水受け部３８は、微細ミスト用水通路４４から流下する所定流量の水を受けて後述する回転体３４の水上昇部５０の下端５０ａ側へ導く働きをする。本例の水受け部３８は、注水口４５の吐水側４５ａの空間に開放されていると共に、水平に対する角度α（図２）＝２０°の傾斜で、中央が下に窪んだ皿形状をしている。
【００２８】
上記水受け部３８の底には、図２に示すように、直径Ｃ（略１５ｍｍ）のドレン孔５２が開いており、図８に示すように、ドレン孔５２から所定の隙間Ｄ（約４ｍｍ）を隔てた下方にドレン回収部４２が設けられている。ドレン回収部４２は、下側に向けて窪みを持つ浅いお椀のような形状をしており、その外周部が複数（例えば４本）の支持リブ５３を介して水受け部３８の底側に支持固定されており、支持リブ５３によって上記隙間Ｄが周方向Ａに複数分割されている。またドレン回収部４２の直径Ｆは、化粧カバー３９を形成する射出成形用の金型構成上の理由から、水受け部３８のドレン孔５２の直径Ｃ（図２）よりも若干小さめの１４．５ｍｍ程度に設定される。なお、支持リブ５３の数、ドレン回収部４２の直径寸法は上記数値に限らず、適宜に変更自在である。
【００２９】
一方、回転体３４は、例えばＳＰＳ樹脂製ロータからなり、図２に示すように、回転体３４の中心部がモータ６の駆動軸６ａに連結されている。
【００３０】
回転体３４は、下端から上端にいくほど径方向寸法が徐々に大きくなる正面視逆円錐形状の水上昇部５０と、水上昇部５０の上端から更に径方向外方に張り出した平面視円盤形状の水飛散部５１とが一体に形成されている。
【００３１】
水飛散部５１は、前記衝突板３５の内周面に面した上下方向領域にあり、水飛散部５１の外周端部が、所定の空隙を隔てて、前記衝突板３５の内周面に存在する複数のリブ４３の上端部４３ａにそれぞれ対向配置されている。
【００３２】
一方、水上昇部５０の下端５０ａは、本例では平坦面となっている。水上昇部５０の下端５０ａ外周面は、前記水受け部３８のドレン孔５２に略１ｍｍ程度の空隙Ｈを隔てて挿入されている。図２の例では、水上昇部５０の下端５０ａはドレン孔５２から下方に向けて所定寸法Ｇ（約３ｍｍ程度）突出している。また本例では、回転体３４の水上昇部５０の下端５０ａが水受け部３８のドレン孔５２から下方に突出し且つ水受け部３８は上記ドレン孔５２に向かうように下り傾斜しているので、回転体３４が所定の速度以上で回転する運転中は水を回転体３４の水上昇部５０の下端５０ａにスムーズに導いて微細ミスト用の水として利用できるものである。なお運転中に発生した微細ミストが、化粧カバー３９の外周面に付着して結露した場合、化粧カバー３９の外周面を伝って流れ落ち、水受け部３８下部に位置する直径１５ｍｍのドレン孔５２の周縁部に達したとき、この水は、一旦ドレン回収部４２で補足された後に、前述した原理で微細ミストとして再利用される。また化粧カバー３９の外側を伝い流れる水の一部はドレン回収部４２の４本の支持リブ５３を伝いドレン回収部４２で補足される。これにより浴室内に垂れ流すことがないため省資源となる。しかも、ドレン回収部４２上端と水受け部３８下端で形成される隙間Ｄ（図８）の上下方向寸法は約４ｍｍとしており、前記支持リブ５３によって周方向Ａに４分割されているから、内部の回転体３４に誤って指で直接触れてしまうおそれがなく安全である。
【００３３】
一方、水飛散部５１は正面視平坦状とされる。これら水飛散部５１の下面や水上昇部５０の外周面はそれぞれ親水性材料成分を含む塗膜にて覆われている。親水性材料としては例えば酸化珪素等が挙げられるが、材料成分は特に問わない。これにより、水上昇部５０から水飛散部５１に伝い上昇する水が水滴になりにくくなり、回転体３４を６，０００ｒｐｍ、すなわち毎秒１００回転させても水滴による風切音の発生が防げる。そのうえ水上昇部５０から水飛散部５１を伝い上昇する水が、その上昇途中での水の飛散が防止でき、効率良く微細ミストを発生することができる構造となる。
【００３４】
次に、ミスト運転開始の動作例を説明する。
【００３５】
先ず、浴室の温度上昇のためには、熱量搬送能力が高く、浴室温度立ち上がり性能がよいスプラッシュミスト運転を行なう。ここで噴霧される水滴は粒子径が５０〜１００μｍ程度のスプラッシュミストである。
【００３６】
リモコン操作部１５のスプラッシュミスト運転スイッチを押すと制御部にスプラッシュミストサウナ運転開始を指令する信号が送られ、温水供給用の熱源機１４（図１１）に運転信号を出し、熱源機１４が暖房運転を開始する。次いで、図９に示す温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。その後、浴室温度が２５℃以上になると給水手段を構成する給水電磁弁２２を開くと共にノズル開閉弁２９ａ，２９ｂの両方又は一方を開いて、ミストノズル１０からスプラッシュミスト噴霧を開始する。
【００３７】
その後、入浴時において、リラックスしたい場合は、微細ミスト運転を実行する。図７は微細ミスト運転フローチャートを示している。リモコン操作部１５の微細ミスト運転スイッチを押すと、制御部に微細ミストサウナ運転開始を指令する信号が送られる。制御部は、モータ６をＯＮ（図７のステップｎ１）にして回転体３４を回転させる。回転体３４は約６，０００ｒｐｍで回転する。さらに微細ミスト用給水供給のための信号を出し、給水電磁弁２２と微細ミスト用電磁弁４７を共にＯＮする（ステップｎ２）。そしてガバナ４６から供給される５０［ｍｌ／分］の流量の水は、注水口４５の吐水側４５ａから滴下して、その真下に位置する幅広の微細ミスト用水通路４４を伝い流れ落ちる。水受け部３８を伝い落ちる水は、回転体３４の下端５０ａ外周面と水受け部３８のドレン孔５２内周面との間隙部位（図２のＨ部）に達すると、約６，０００ｒｐｍの高速で回転する回転体３４の水上昇部５０の下端５０ａ付近を濡らす。このとき水上昇部５０は高速で回転運動しているため、水上昇部５０の下端５０ａ付近を濡らした水には遠心力が作用して、回転体３４の中心から離れようとするが、回転体３４には親水性があるから、水は回転体３４から離れることなく、水上昇部５０から水飛散部５１の下面に伝い、最終的に水飛散部５１の外周から外方に向かって飛散する。この飛散した水は、衝突板３５の内面やそこに存在する複数のリブ４３の上端部４３ａに激しくぶつかり、細断、粉砕されて微細な霧状の水滴となり、微小粒子のミストＭが得られ、この微細ミストＭは図８に示すように、微細ミスト放出口３７から浴室内に噴出される。
【００３８】
その後、微細ミスト運転を停止する場合は、微細ミスト運転状態で、再びリモコン操作部１５の微細ミスト運転スイッチを押すと（図７のステップｎ３）、制御部に微細ミスト運転停止を指令する信号が送られ、微細ミスト用給水停止のための信号を出し、給水電磁弁２２と微細ミスト用電磁弁４７をＯＦＦする（ステップｎ４）。給水停止の１分後、モータ６を停止させ回転体３４が停止する（ステップｎ５→ｎ６）。
【００３９】
次に、本発明の発光機能を説明する。図１に示すように、上記回転体３４、衝突板３５、水受け部３８等により、微細ミストを生成する微細ミスト生成部６０が構成されている。この微細ミスト生成部６０から微細ミスト放出口３７に至る途中空間に、放出された微細ミストに光を照射するＬＥＤ５５が設けられている。尚、ＬＥＤ５５の数は特に限定されない。
【００４０】
本例では、化粧カバー３９の上面を覆うモータ取付板４１の下面には、回転体３４の水飛散部５１よりも上側に位置するように、ＬＥＤ装着部５６（図３（ｂ）参照、ただし水飛散部５１は図示を省略している）が同心円上に６箇所設けられている。本例では各ＬＥＤ装着部５６に対して緑ＬＥＤ５５と青ＬＥＤ５５とが交互に３個ずつ実装されている。勿論、ＬＥＤ５５の数、色等は特に限定されない。
【００４１】
各ＬＥＤ５５は、透明なレンズ部５９にてそれぞれ覆われている。レンズ部５９は、ＬＥＤ５５を実装する基板ユニット６０側への水分の浸入を防止する働きをする。しかもこのレンズ部５９は、ミスト温度の低い冷ミスト雰囲気に晒される位置に配置されることにより、レンズ部５９の表面には冷ミストによる水膜が張るようになり、この水膜によってＬＥＤ５５の冷却効果が得られるようになっている。
【００４２】
各ＬＥＤ５５は、微細ミスト放出口３７の内側であって、且つ微細ミストの放出角度以外の角度から人の視界に直接入らない位置に配置されている。つまり各ＬＥＤ５５は、回転体３４の上方位置における水飛散部５１の平面視投影領域Ｙ内で且つ上記衝突板３５の上下方向領域Ｘ内に配置している。このように、各ＬＥＤ５５は回転体３４の上方に位置しているから、図１の真下方向Ｐ１からは各ＬＥＤ５５は見えないようになり、さらに、各ＬＥＤ５５は衝突板３５と同じ高さ範囲に位置しているから、図１の真横方向Ｐ２からも見えないようになっている。これにより、真下と真横の間の範囲θ内における方向Ｐ３からしか、ＬＥＤ５５が直接見えないようになっている。
【００４３】
しかして、微細ミスト運転時において、リモコン操作部１５（図１１）のＬＥＤスイッチを押すと、各ＬＥＤ５５が点灯し、噴霧される微細ミストＭが各ＬＥＤ５５からの光照射により間接的に発光する（着色された）状態に見える。このとき各ＬＥＤ５５は微細ミスト放出口３７から放出される微細ミストＭ越しにしか見ることができない。これにより、ＬＥＤ５５による眩しさを感じさせないようにしながら、より深い視覚的表現を演出し、精神的な緊張を和らげ、リラックス効果を与えることができる。さらにＬＥＤ５５と浴室の照明との相乗効果による独特の雰囲気を作り出したいときにも、ＬＥＤ５５によって微細なミスト雰囲気が視認しやすくなるので、浴室の照明との演出効果に有効となる。さらに、青、緑の各色ごとの輝度を適宜時間経過と共に変化させることで、異なる色の各ＬＥＤ５５を同時に発光させた場合に視認される合成色の色合いが変化するから、視覚に対し変化を与え、同様の状態が継続することにより退屈感が生じることがないものである。
【００４４】
また本例では、ＬＥＤ５５のレンズ部５９が防水カバーとして機能すると共に、レンズ部５９の表面に冷ミストによる水膜が張ることによって、ＬＥＤ５５が冷却される。これにより、ＬＥＤ５５の温度を降下させることができ、ＬＥＤ５５に流せる電流値のアップ及び寿命の向上を図ることができる利点もある。
【００４５】
しかも、青や緑にライトアップされた微細ミストＭが、ゆらゆらと噴霧される様子を見ることで、リラックスできる雰囲気を醸し出す。このとき、各ＬＥＤ５５の輝度を適宜時間経過と共に変化させることで、視覚に対し変化を与え、同様の状態が継続することにより退屈感が生じることがない。或いは、各ＬＥＤ５５の色を適宜時間経過と共に変化させることで、視覚に対し変化を与え、同様の状態が継続することにより退屈感が生じることがない。さらに、青、緑の各色ごとの輝度を適宜時間経過と共に変化させることで、異なる色の各ＬＥＤ５５を同時に発光させた場合に視認される合成色の色合いが変化するから、視覚に対し変化を与え、同様の状態が継続することにより退屈感が生じることがないものである。また本例では、スプラッシュミスト運転時において各ＬＥＤ５５を点灯する場合を考慮して、リモコン操作部１５に専用のＬＥＤスイッチを設け、微細ミスト運転の状態とは関係なく各ＬＥＤ５５の点灯ができるようにしてある。
【００４６】
他の例として、微細ミスト運転ではなくスプラッシュ運転が行なわれている状態で、ＬＥＤスイッチのＯＮ操作をしたときは、ＬＥＤ５５の点灯に連動して自動的に微細ミスト運転を実行する制御方式とすることも可能である。
【００４７】
更に他例として、微細ミスト運転もスプラッシュ運転も行われていない状態において、ＬＥＤスイッチのＯＮ操作が行われても、制御部はＬＥＤスイッチのＯＮ操作を受け付けずＬＥＤ５５を点灯しないように構成することも可能である。
【００４８】
更に他例として、上記ＬＥＤ５５の点灯に合わせて、浴室暖房乾燥機操作用のリモコンによって浴室照明の点灯を自動的にＯＮ／ＯＦＦしたり減光するなど、浴室の照明を使用者の好みに応じて調光できるようにしてもよい。
【図面の簡単な説明】
【００４９】
【図１】本発明の実施形態の微細ミスト発生装置内部にＬＥＤを配置した場合の正面図である。
【図２】同上の微細ミスト発生装置を示す正面断面図である。
【図３】（ａ）は同上の微細ミスト発生装置の正面図、（ｂ）は微細ミスト発生装置の回転体を省略した状態の下面図である。
【図４】同上の微細ミスト発生装置を機器ケーシングのグリル板に取り付けた状態の正面図である。
【図５】（ａ）は同上の回転体の正面図、（ｂ）は底面図である。
【図６】同上の化粧カバーの平面図である。
【図７】同上の微細ミスト運転のフローチャートである。
【図８】同上の微細ミスト発生装置の微細ミスト放出口から微細ミストが噴霧する状態の説明図である。
【図９】同上の微細ミスト発生機能付き浴室暖房乾燥機の配管図である。
【図１０】同上の微細ミスト発生機能付き浴室暖房乾燥機の内部構造を説明する断面図である。
【図１１】同上の微細ミスト発生機能付き浴室暖房乾燥機を浴室天井に設置した状態の説明図である。
【図１２】同上の微細ミスト発生装置を具備した微細ミスト発生機能付き浴室暖房乾燥機を下方から見た斜視図である。
【符号の説明】
【００５０】
４  微細ミスト発生装置
６  モータ
３４  回転体
３５  衝突板
３７  微細ミスト放出口
３８  水受け部
４５  注水口
４５ａ  吐水側
５０  水上昇部
５１  水飛散部
５４  光源部
５５  ＬＥＤ
５９  レンズ部
６０  微細ミスト生成部
【図１】
2010081956.tif 000003
【図２】
2010081956.tif 000004
【図３】
2010081956.tif 000005
【図４】
2010081956.tif 000006
【図５】
2010081956.tif 000007
【図６】
2010081956.tif 000008
【図７】
2010081956.tif 000009
【図８】
2010081956.tif 000010
【図９】
2010081956.tif 000011
【図１０】
2010081956.tif 000012
【図１１】
2010081956.tif 000013
【図１２】
2010081956.tif 000014